(57)【要約】【課題】暖房中に脱衣所内の温度が必要以上に上がることを抑えることができるようにした脱衣所空調機を提供する。【解決手段】脱衣所空調機１は、ヒータ部３とファン部４を有し、温風及び送風等を吹き出す空調ユニット２を備える。制御部３１は、暖房モードを実行する場合は、先ず予備暖房モードを実行する。制御部３１は、予備暖房モードでは、ヒータ部３を構成する第１のＰＴＣヒータ３ａと第２のＰＴＣヒータ３ｂの双方を駆動して発熱量を上げることで、短時間で浴室内を暖める。制御部３１は、予備暖房モードを開始してから所定の予備暖房時間が経過すると、運転モードを入浴中暖房モードに切り換える。入浴中暖房モードでは、制御部３１は、第１のＰＴＣヒータ３ａと第２のＰＴＣヒータ３ｂのどちらか一方を駆動することで発熱量を抑えて、脱衣所内の温度が必要以上に上がらないようにする。【選択図】        図１
2006162231.tif 000002
【特許請求の範囲】
【請求項１】
脱衣所に設置される脱衣所空調機において、
前記脱衣所に空気を送風する送風手段と、
前記送風手段で送風される空気を加熱する加熱手段と、
前記送風手段及び前記加熱手段を制御して温風を吹き出す暖房運転を、前記脱衣所を暖める第１の暖房モードから、前記第１の暖房モードより前記加熱手段の発熱量を低下させ、前記第１の暖房モードで暖められた前記脱衣所を保温する第２の暖房モードに切り換える制御手段とを備えた
ことを特徴とする脱衣所空調機。
【請求項２】
前記制御手段は、前記暖房運転を前記第１の暖房モードで開始して所定時間が経過すると、前記第１の暖房モードを前記第２の暖房モードに切り換える
ことを特徴とする請求項１記載の脱衣所空調機。
【請求項３】
前記脱衣所の状態を検出する状態検出手段を備え、
前記制御手段は、前記暖房運転を前記第１の暖房モードで開始し、前記状態検出手段の検出結果に基づいて、前記第１の暖房モードを前記第２の暖房モードに切り換える
ことを特徴とする請求項１記載の脱衣所空調機。
【請求項４】
前記状態検出手段として、浴室の人の有無を検出する人検出手段を備え、
前記制御手段は、前記人検出手段で浴室内に人が居ると判断すると、前記第１の暖房モードを前記第２の暖房モードに切り換える
ことを特徴とする請求項３記載の脱衣所空調機。
【請求項５】
前記人検出手段として、人の存在を検出する人感センサを備え、
前記制御手段は、前記人感センサで人を検出すると、前記第１の暖房モードを前記第２の暖房モードに切り換える
ことを特徴とする請求項４記載の脱衣所空調機。
【請求項６】
前記人検出手段として、前記浴室の照明スイッチが使用され、前記制御手段は、前記照明スイッチが前記浴室の照明を点灯させた状態となると、前記第１の暖房モードを前記第２の暖房モードに切り換える
ことを特徴とする請求項４記載の脱衣所空調機。
【請求項７】
前記脱衣所の温度を検出する温度検出手段を備え、前記制御手段は、前記第１の暖房モードを前記第２の暖房モードに切り換えると、前記温度検出手段で検出される前記脱衣所の温度が所定の温度を保持するように、前記加熱手段の発熱量を制御する
ことを特徴とする請求項１，２，３，４，５または６記載の脱衣所空調機。
【発明の詳細な説明】
【技術分野】
【０００１】
本発明は、脱衣所内の暖房等を行う脱衣所空調機に関し、特に、暖房中に脱衣所内の温度が必要以上に上がらないようにした脱衣所空調機に関するものである。
【背景技術】
【０００２】
従来より、浴室内の暖房等を行う浴室暖房乾燥機が提案されている。一般的に、冬季においては住宅の居室は暖房されており、寒さを感じない温度となっているが、暖房されていない浴室は入浴前の温度が低く、入浴者は浴室への入室直後は寒さを感じる。
【０００３】
そこで、浴室暖房乾燥機を使用して浴室内を予め暖房しておき、冬季の入浴時における居室と浴室の温度差を解消することで、浴室への入室直後に寒さを感じないようにして、入浴者の負担の軽減を図っている。
【０００４】
さて、浴室に隣接する洗面所等の脱衣所も、従来は暖房機が設置されておらず、冬季は暖房されている居室との温度差があるので、脱衣中等には寒さを感じる。そこで、脱衣所内の暖房等を行う脱衣所空調機が提案されている（例えば、特許文献１参照）。
【０００５】
脱衣所空調機では、入浴前に予め脱衣所を暖めておくことで、脱衣中に寒さを感じることを抑えると共に、入浴中も脱衣所内の暖房を続けて、入浴者が浴室から脱衣所へ出た時に寒さを感じないようにしている。
【０００６】
【特許文献１】特開２００４−１３２５９０号公報
【発明の開示】
【発明が解決しようとする課題】
【０００７】
脱衣所空調機は、入浴前に短時間で脱衣所を暖められるように、高出力のヒータを備えている。しかし、従来の脱衣所空調機では、入浴中も高出力のヒータで脱衣所の暖房を続けるため、脱衣所内が暖かくなり過ぎるという問題がある。
【０００８】
本発明は、このような課題を解決するためになされたもので、暖房中に脱衣所内の温度が必要以上に上がることを抑えることができるようにした脱衣所空調機を提供することを目的とする。
【課題を解決するための手段】
【０００９】
上述した課題を解決するため、請求項１の発明は、脱衣所に設置される脱衣所空調機において、脱衣所に空気を送風する送風手段と、送風手段で送風される空気を加熱する加熱手段と、送風手段及び加熱手段を制御して温風を吹き出す暖房運転を、脱衣所を暖める第１の暖房モードから、第１の暖房モードより加熱手段の発熱量を低下させ、第１の暖房モードで暖められた脱衣所を保温する第２の暖房モードに切り換える制御手段とを備えたことを特徴とする。
【００１０】
請求項２の発明は、請求項１に記載の発明において、制御手段は、暖房運転を第１の暖房モードで開始して所定時間が経過すると、第１の暖房モードを第２の暖房モードに切り換えることを特徴とする。
【００１１】
請求項３の発明は、請求項１に記載の発明において、脱衣所の状態を検出する状態検出手段を備え、制御手段は、暖房運転を第１の暖房モードで開始し、状態検出手段の検出結果に基づいて、第１の暖房モードを第２の暖房モードに切り換えることを特徴とする。
【００１２】
請求項４の発明は、請求項３に記載の発明において、状態検出手段として、浴室の人の有無を検出する人検出手段を備え、制御手段は、人検出手段で浴室内に人が居ると判断すると、第１の暖房モードを第２の暖房モードに切り換えることを特徴とする。
【００１３】
請求項５の発明は、請求項４に記載の発明において、人検出手段として、人の存在を検出する人感センサを備え、制御手段は、人感センサで人を検出すると、第１の暖房モードを第２の暖房モードに切り換えることを特徴とする。
【００１４】
請求項６の発明は、請求項４に記載の発明において、人検出手段として、浴室の照明スイッチが使用され、制御手段は、照明スイッチが浴室の照明を点灯させた状態となると、第１の暖房モードを第２の暖房モードに切り換えることを特徴とする。
【００１５】
請求項７の発明は、請求項１，２，３，４，５または６に記載の発明において、脱衣所の温度を検出する温度検出手段を備え、制御手段は、第１の暖房モードを第２の暖房モードに切り換えると、温度検出手段で検出される脱衣所の温度が所定の温度を保持するように、加熱手段の発熱量を制御することを特徴とする。
【発明の効果】
【００１６】
本発明に係る脱衣所空調機によれば、送風手段及び加熱手段を制御して温風を吹き出す暖房運転を、脱衣所を暖める第１の暖房モードから、第１の暖房モードより加熱手段の発熱量を低下させ、第１の暖房モードで暖められた脱衣所を保温する第２の暖房モードに切り換えて暖房運転が行われるので、暖房中に脱衣所内の温度が必要以上に上がることを抑えることができる。
【００１７】
また、第２の暖房モードでは加熱手段の発熱量を低下させることで、低消費電力で暖房運転を行うことができる。
【００１８】
更に、第１の暖房モードから第２の暖房モードへの切り換えが自動的に行われるので、人による操作が不要で、第１の暖房モードから確実に第２の暖房モードへの切り換えを行うことができる。
【発明を実施するための最良の形態】
【００１９】
以下、図面を参照して本発明の脱衣所空調機の実施の形態について説明する。
【００２０】
＜脱衣所空調機の構成の概要＞
図１は本実施の形態の脱衣所空調機１の内部構成の一例を示す正面図、図２は本実施の形態の脱衣所空調機１の設置例を示す斜視図、図３は本実施の形態の脱衣所空調機１の制御系の一例を示す機能ブロック図である。
【００２１】
本実施の形態の脱衣所空調機１は、図２に示すように、脱衣所５１の例えば壁面５２に設置される。脱衣所空調機１は、図１に示すように、送風及び温風を吹き出す空調ユニット２を備え、空調ユニット２を構成するヒータ部３の発熱量を制御することで、暖房中に脱衣所５１内の温度が必要以上に上がらないようにしたものである。なお、脱衣所５１とは、通常、浴室５３に隣接する空間を示し、洗面所等も含まれる。
【００２２】
＜脱衣所空調機の構成の詳細＞
図４は本実施の形態の脱衣所空調機１の構成の一例を示す分解斜視図、図５は本実施の形態の脱衣所空調機１の構成の一例を示す外観斜視図、図６は図１のＡ−Ａ線断面図、図７は図１のＢ−Ｂ線断面図であり、図１〜図７を参照して脱衣所空調機１の構成の詳細を説明する。
【００２３】
空調ユニット２はヒータ部３とファン部４とイオン発生器５とルーバー６を備える。ファン部４はシロッコファンで送風手段を構成し、ファンモータ４ａに回転駆動される多翼の羽根車（ファン）７と、風路を形成するファンケース８を備える。ファンケース８は、羽根車７の軸方向に沿った面を開口して形成される吸込口８ａと、羽根車７の接線方向に沿った部位を開口して形成される吹出口８ｂとを備える。
【００２４】
イオン発生器５はイオン発生手段を構成し、ファン部４のファンケース８に取り付けられる。イオン発生器５は、イオンを発生する図示しない放電面がファンケース８の内部に露出するように取り付けられ、ファン部４によって形成される風路中にイオンが供給される。
【００２５】
イオン発生器５は、正イオンと負イオンの両方あるいは負イオンを発生する。正イオンと負イオンの発生の原理は、誘電体が介在するように対向させた一対の電極間に家庭用交流電源等から取った交流電圧を昇圧して印加することにより、コロナ放電を起こし、空気中の酸素ないしは水分が電離によりエネルギーを受けてイオン化し、Ｈ+（Ｈ2Ｏ）m（ｍは任意の自然数）と、Ｏ2-（Ｈ2Ｏ）n（ｎは任意の自然数）が主体のイオンを放出するものである。
【００２６】
これらＨ+（Ｈ2Ｏ）m及びＯ2-（Ｈ2Ｏ）nは、浮遊菌の表面に付着し、化学反応して活性種であるＨ2Ｏ2または・ＯＨを生成する。Ｈ2Ｏ2または・ＯＨは、極めて強力な活性を示すため、これらにより、空気中の浮遊細菌を取り囲んで不活化することができる。ここで、・ＯＨは活性種の１種であり、ラジカルのＯＨを示している。
【００２７】
これにより、略同数の正イオンと負イオンを発生させる正負イオン発生モードを備えて、略同数の正イオンと負イオンを含む空気を送風することで、空気中の浮遊細菌を不活化して、カビの発生を抑えることができる。
【００２８】
また、負イオンのみもしくは負イオンを正イオンより多く発生させるような負イオン発生モードを備えて、負イオンを含む空気を送風すると、精神を安定させ、呼吸器の機能を高める等のリラックス効果があると言われている。
【００２９】
ヒータ部３は加熱手段を構成し、ファンケース８の吹出口８ｂに取り付けられ、本例では、図１，図６に示すように、第１のＰＴＣヒータ３ａと第２のＰＴＣヒータ３ｂを左右に並べて構成される。第１のＰＴＣヒータ３ａは、ファンケース８の吹出口８ｂに接続された第１の風路９ａに備えられ、第２のＰＴＣヒータ３ｂは、吹出口８ｂに接続された第２の風路９ｂに備えられる。
【００３０】
ここで、第１のＰＴＣヒータ３ａと第２のＰＴＣヒータ３ｂは、正極性のサーミスター特性を有するヒータで、温度が上昇すると抵抗値が上昇し、これにより消費する電流が制御されると共に温度上昇が緩やかになり、その後、消費電流及び発熱部の温度が、飽和領域に達して安定していくものであり、自己温度制御を行う。
【００３１】
このように、ＰＴＣヒータでは、ヒータの温度が上昇すると消費電流が低くなり、その後一定温度の飽和領域に達すると、消費電流が低い値で安定する特性があるために、これを用いることにより、消費電力の節約ができるとともに、発熱体の温度の異常上昇を防止可能であるという利点がある。
【００３２】
ルーバー６は風向可変手段を構成し、ヒータ部３を介してファンケース８の吹出口８ｂに取り付けられる。ルーバー６は、図７に示すように、ヒータ部３を介してファンケース８の吹出口８ｂと接続されるハウジング１０ａと、ハウジング１０ａに軸支され、上下方向に回動して空気の吹き出し方向を切り換える吹出口１０ｂと、吹出口１０ｂの内側に回転可能に取り付けられ、左右方向に空気の吹き出し方向を切り換える複数の風向板１０ｃを備える。
【００３３】
また、ルーバー６は、図１に示すように、吹出口１０ｂを回転駆動するルーバモータ１０ｄを備える。ルーバモータ１０ｄはステッピングモータで、図示しない軸を支点に、吹出口１０ｂを図７に示す矢印ａ１，ａ２方向に往復動作させる。また、吹出口１０ｂを所定の位置で停止させる。
【００３４】
脱衣所空調機１は、図４に示すように本体ケース１１に空調ユニット２が取り付けられ、本体ケース１１の前面にフロントパネル１２が取り付けられる。そして、本体ケース１１の側面を覆う化粧パネル１３を着脱自在に備えて、化粧パネル１３の装着の有無で、１種類の脱衣所空調機１を、図７（ａ）に示すように壁面５２に掛ける取付形態と、図７（ｂ）に示すように壁面５２に埋め込む取付形態の双方に使用できるようになっている。
【００３５】
本体ケース１１は、例えば金属板で構成され、背面板１１ａと４枚の側面板１１ｂを備えた箱状で、前面に開口部１４が形成される。また、本体ケース１１は開口部１４の外周に側面板１１ｂから連続してフランジ部１５が形成される。
【００３６】
フランジ部１５は複数の取付穴１５ａを備える。取付穴１５ａは、脱衣所空調機１を壁面５２に埋め込む取付形態では本体取付部として機能し、脱衣所空調機１を壁面５２に掛ける取付形態ではパネル取付部として機能する。
【００３７】
すなわち、図７（ａ）に示すように、脱衣所空調機１を壁面５２に掛ける取付形態では、フランジ部１５の取付穴１５ａを使用して、ネジ１６ａにより化粧パネル１３がフランジ部１５に固定される。また、図７（ｂ）に示すように、脱衣所空調機１を壁面５２に埋め込む取付形態では、化粧パネル１３を非装着とし、フランジ部１５の取付穴１５ａを使用して、ネジ１６ｂにより脱衣所空調機１が壁面５２の開口部に固定される。
【００３８】
本体ケース１１は、背面板１１ａにシャーシ１７が取り付けられる。シャーシ１７は例えばプラスチック材で構成され、図７に示すように、背面板１１ａまで貫通した本体取付穴１７ａを備える。本体取付穴１７ａは本体取付部を構成し、図７（ａ）に示すように、脱衣所空調機１を壁面５２に掛ける取付形態では、本体取付穴１７ａを使用して、ネジ１８により脱衣所空調機１が壁面５２に固定される。
【００３９】
シャーシ１７は、本体ケース１１にフロントパネル１２を固定するフロントパネル取付部１７ｂを備える。また、シャーシ１７は回路基板１９の取付部を備える。更に、シャーシ１７には空調ユニット２が取り付けられる。
【００４０】
フロントパネル１２は、本体ケース１１の開口部１４に取り付けられる。フロントパネル１２は、空調ユニット２のルーバー６が露出する開口部２１ａと、ファン部４の吸込口８ａと対向する部位に形成される吸込口２１ｂと、吸込口２１ｂの裏面側にフィルタ１２ａを着脱自在に取り付けるフィルタ取付部２１ｃと、本体ケース１１のフロントパネル取付部１７ｂにフロントパネル１２を取り付けるためのフロントパネル取付穴２１ｄを備える。
【００４１】
化粧パネル１３は、本体ケース１１が嵌る開口部１３ａを有して、本体ケース１１の周囲四側面を覆う枠状で、化粧パネル１３の外形は、フロントパネル１２の外形と略同形に構成される。
【００４２】
また、化粧パネル１３は前面にフランジ受け面２２を備え、フランジ受け面２２にネジ穴２２ａと位置決め突起２２ｂを備える。更に、化粧パネル１３は裏面に補強リブ２３を備える。
【００４３】
ネジ穴２２ａは、本体ケース１１のフランジ部１５の取付穴１５ａに対応した箇所に形成される。位置決め突起２２ｂは、例えばフランジ受け面２２の辺部に沿った直線状のリブが、フランジ受け面２２に突出形成される。
【００４４】
本体ケース１１に化粧パネル１３を取り付けるため、フランジ受け面２２に本体ケース１１のフランジ部１５が載置されると、位置決め突起２２ｂの内周側にフランジ部１５の外周側が当接して、本体ケース１１に対する化粧パネル１３の位置決めが行われる。
【００４５】
また、化粧パネル１３が取り付けられた本体ケース１１にフロントパネル１２を取り付けると、位置決め突起２２ｂの外周側にフロントパネル１２の内周面が当接して、化粧パネル１３に対するフロントパネル１２の位置決めが行われる。
【００４６】
このように、本体ケース１１のフランジ部１５の外形は、フロントパネル１２及び化粧パネル１３の外形より小さく、本体ケース１１にフロントパネル１２を取り付けると、フランジ部１５はフロントパネル１２の内側に入り、フロントパネル１２の側面には露出しない。
【００４７】
なお、フロントパネル１２は、ネジ２４をフロントパネル取付穴２１ｄに通してフロントパネル取付部１７ｂに締結することで、本体ケース１１に固定される。そして、フロントパネル１２が本体ケース１１に固定されると、図５に示すようにルーバー６がフロントパネル１２の開口部２１ａから露出する。また、図６に示すようにファン部４の吸込口８ａとフロントパネル１２の吸込口２１ｂが対向する。
【００４８】
補強リブ２３は、化粧パネル１３の内面から内向きに突出する板状部材を複数箇所に形成したもので、補強リブ２３が本体ケース１１の側面板１１ｂに当接して、化粧パネル１３の変形を防ぐ。
【００４９】
次に、図３を用いて本実施の形態の脱衣所空調機１の制御系の構成について説明する。脱衣所空調機１は、ＣＰＵ等で構成される制御部３１を図１等に示す回路基板１９に備え、制御部３１に、操作部３２と、第１のＰＴＣヒータ３ａ及び第２のＰＴＣヒータ３ｂと、ファンモータ４ａと、イオン発生器５と、ルーバモータ１０ｄ等が接続される。
【００５０】
制御部３１は制御手段を構成し、脱衣所空調機１の運転モードとして、送風を吹き出す涼風モードと、温風を吹き出す暖房モードを備える。暖房モードでは、第１の暖房モードとして、図２に示す脱衣所５１内を短時間で暖める予備暖房モードと、第２の暖房モードとして、入浴中等に脱衣所５１内を保温する入浴中暖房モードを備える。
【００５１】
また、脱衣所空調機１の運転モードとして、イオンを発生するイオン発生モードを備え、イオン発生モードとして、正イオンと負イオンの双方を発生する正負イオン発生モードと、負イオンを発生する負イオン発生モードを備える。なお、正負イオン発生モードは除菌イオンモードとも称され、負イオン発生モードはマイナスイオンモードとも称される。
【００５２】
これら運転モードは、利用者が操作部３２を操作することで選択され、制御部３１は、操作部３２での操作に応じて第１のＰＴＣヒータ３ａ、第２のＰＴＣヒータ３ｂ、ファンモータ４ａ、イオン発生器５及びルーバモータ１０ｄ等を制御する。
【００５３】
また、制御部３１は、運転モードとして暖房モードが選択されると、先ず予備暖房モードを実行した後に入浴中暖房モードを実行する制御を行い、予備暖房モードから入浴中暖房モードへの切り換えは自動的に行う。
【００５４】
操作部３２は操作手段を構成し、例えば脱衣所空調機１本体と独立したリモートコントロール装置で、図２に示すように、脱衣所空調機１が設置される脱衣所５１の壁面５２に取り付けられる。
【００５５】
図８は操作部３２の一例を示す構成図である。操作部３２は表示部３３と、各種操作ボタン等を備える。操作ボタンとしては、涼風モードを選択する涼風モードボタン３４と、暖房モードを選択する暖房モードボタン３５を備える。
【００５６】
また、イオン発生モードとして、正負イオン発生モードと負イオン発生モードを選択するイオンモード選択ボタン３６を備える。更に、正負イオン発生モードと負イオン発生モードの何れが選択されているか示すランプ３７を備える。
【００５７】
また、涼風モード及び暖房モードと、イオン発生モードを連動させるイオンモード連動ボタン３８を備える。更に、所定の時間に運転を開始する等の設定を行うタイマボタン３９を備える。
【００５８】
イオンモード連動ボタン３８を選択せずに、暖房モードボタン３５あるいは涼風モードボタン３４を押した場合においては、イオンを発生させずに、各運転モードで運転を行うようになっており、イオンモード連動ボタン３８が各運転モードでイオンを発生するか否かの選択ボタンとなっている。
【００５９】
また、運転モードがイオン連動かどうかを表示する表示灯（ランプ）３８ａが設けられている。表示灯３８ａは例えばＬＥＤ（発光ダイオード）であり、連動させるイオン発生モードが正負イオンを発生する除菌モードでは例えば赤色に点灯し、負イオンを発生するマイナスイオンモードでは青色に点灯するようになっており、発生しているイオンの種類が判るようになっている。
【００６０】
更に、イオン連動運転モード中にイオンの発生を停止したい場合においては、再度イオンモード連動ボタン３８を選択し、イオン発生を解除できるようになっている。
【００６１】
＜脱衣所空調機の動作＞
次に、脱衣所空調機１の動作について説明する。図９は運転モードと各部の動作の組み合わせパターンの一例である。
【００６２】
図９に記載のヒータ駆動については、ヒータ部３を構成する第１のＰＴＣヒータ３ａ及び第２のＰＴＣヒータ３ｂのオンあるいはオフが各運転モード毎に設定されている。
【００６３】
ここで、ヒータオンで「強」の設定は、第１のＰＴＣヒータ３ａと第２のＰＴＣヒータ３ｂの双方を作動させる設定、ヒータオンで「弱」の設定は、第１のＰＴＣヒータ３ａと第２のＰＴＣヒータ３ｂのどちらか一方を作動させる設定である。
【００６４】
また、図９に記載のファン風量については、各運転モード毎にファンモータ４ａの回転数が、強と標準から選択可能に設定されており、選択された運転モードに応じた風量になるようになっている。
【００６５】
更に、イオン発生については、各運転モード毎にマイナスイオン（負）、除菌イオン（正負）、イオン発生無（無）から選択可能に設定されている。なお、運転モードによって、選択できるイオンの種類（正負、負、無）は異なって設定されている。
【００６６】
また、ルーバー６についても、運転モードに応じて、固定する場合と上下に往復作動（スイング）する場合とに設定されている。
【００６７】
次に、各図を参照して暖房モードの動作について説明する。図８に示す操作部３２で暖房モードボタン３５が押されると、制御部３１は暖房モードが選択されたと判断して、ファンモータ４ａを駆動すると共に、先ず予備暖房モードを実行するため、第１のＰＴＣヒータ３ａ及び第２のＰＴＣヒータ３ｂを駆動する。
【００６８】
ファンモータ４ａが駆動されると、図６に示す羽根車７が回転することで、図５等に示すフロントパネル１２の吸込口２１ｂを通して、ファン部４の吸込口８ａから室内の空気が吸い込まれ、ファンケース８によってルーバー６へと空気が流れる。
【００６９】
第１のＰＴＣヒータ３ａ及び第２のＰＴＣヒータ３ｂが駆動され通電されると、ファン部４から吹き出した空気が加温され、ルーバー６から温風が吹き出される。予備暖房モードでは、第１のＰＴＣヒータ３ａと第２のＰＴＣヒータ３ｂの双方を駆動することで発熱量を上げて、短時間で脱衣所５１を暖めることができる。
【００７０】
制御部３１は、予備暖房モードを開始してから所定の予備暖房時間が経過すると、運転モードを入浴中暖房モードに切り換える。制御部３１は、入浴中暖房モードでは、ファンモータ４ａの駆動を続行すると共に、第１のＰＴＣヒータ３ａと第２のＰＴＣヒータ３ｂのどちらか一方、本例では第１のＰＴＣヒータ３ａを駆動する。
【００７１】
入浴中暖房モードで第１のＰＴＣヒータ３ａのみが駆動されると、第１のＰＴＣヒータ３ａと第２のＰＴＣヒータ３ｂの双方が駆動される予備暖房モード時と比較して、ヒータ部３における発熱量が抑えられ、ルーバー６から吹き出す温風の温度が下がる。
【００７２】
これにより、予備暖房モードで脱衣所５１を暖めた後は、運転モードが入浴中暖房モードに切り換えられて、ヒータ部３における発熱量が抑えられることで、脱衣所５１内の更なる温度上昇が抑えられる。なお、入浴中暖房モードは、例えば所定時間経過後に終了するように構成される。
【００７３】
第１のＰＴＣヒータ３ａと第２のＰＴＣヒータ３ｂは、例えば６００Ｗ程度の出力を有するものが使用される。予備暖房モードでは、第１のＰＴＣヒータ３ａと第２のＰＴＣヒータ３ｂの双方に通電することで、ヒータ部３は１２００Ｗ程度の高出力のヒータとなり、脱衣所５１を短時間で暖めることができる。
【００７４】
但し、第１のＰＴＣヒータ３ａと第２のＰＴＣヒータ３ｂの双方の駆動を続けると、脱衣所５１の温度が上がり過ぎる。そこで、予備暖房モードで脱衣所５１内を所定の温度まで暖めた後、運転モードを入浴中暖房モードに切り換える。
【００７５】
入浴中暖房モードでは、通電するヒータの本数を１本にすることで、本例では、ヒータ部３は６００Ｗ程度のヒータとなる。これにより、ヒータ部３における発熱量が抑えられることで、ルーバー６から吹き出す温風の温度が下がり、脱衣所５１内の更なる温度上昇が抑えられる。従って、予備暖房モードで暖められた脱衣所５１が保温される。なお、予備暖房モードでは、脱衣所５１内の温度を一定に保持するような温度制御を行う必要は必ずしもなく、ヒータ部３における発熱量を抑えることで、脱衣所５１の更なる温度上昇と、温度低下の両方を抑えられれば良い。
【００７６】
そして、本例では、ヒータ部３における消費電力が半減することになり、低消費電力で暖房モードを実行することができる。
【００７７】
ここで、本例ではヒータ部３を複数本のＰＴＣヒータで構成することで、駆動するＰＴＣヒータの数を切り換えてヒータ部３における発熱量の制御を行っているが、第１のＰＴＣヒータ３ａ及び第２のＰＴＣヒータ３ｂへの通電量を制御することでも、ヒータ部３における発熱量の制御が可能である。また、ファンモータ４ａの回転数の制御を組み合わせても良い。
【００７８】
更に、本例では、ＰＴＣヒータの本数を２本としたが、２本以上でも良い。そして、入浴中暖房モード実行中においても、駆動するＰＴＣヒータの本数を制御することで、より効率的な温度制御が可能となる。
【００７９】
例えば、脱衣所空調機１に、脱衣所５１の温度を検出する温度検出手段として、図３に示すように温度センサ４０を備え、制御部３１は、温度センサ４０の出力から、脱衣所５１の温度を検出する。
【００８０】
制御部３１は、上述したように暖房モードとして先ず予備暖房モードを開始した後、所定の予備暖房時間が経過すると、運転モードを入浴中暖房モードに切り換える。
【００８１】
制御部３１は、入浴中暖房モードの実行中は、温度センサ４０で検出される脱衣所５１の温度が所定の温度を保持するように、駆動するＰＴＣヒータの本数を制御する。例えば、温度センサ４０で検出される脱衣所５１の温度が所定の設定温度より低い場合は、駆動するＰＴＣヒータの本数を増やし、脱衣所５１の温度が所定の設定温度より高い場合は、駆動するＰＴＣヒータの本数を減らす。これにより、効率的な温度制御が可能となる。
【００８２】
なお、温度上昇を抑えるために、ヒータの通電本数を減らして発熱量を低下させる制御を行っているが、ヒータの通電と非通電を間欠的に行う間欠制御であっても良い。
【００８３】
次に、暖房モードにおいて予備暖房モードと入浴中暖房モードを切り換える他の実施の形態について説明する。予備暖房モードと入浴中暖房モードの切り換えは、一例として、人の有無と連動して行うことができる。
【００８４】
例えば、図２に示すように、脱衣所５１に隣接する浴室５３に人検出手段として人感センサ５４を備え、脱衣所空調機１の制御部３１は、人感センサ５４の出力から、浴室５３への人（入浴者）の入室を監視する。
【００８５】
制御部３１は、上述したように暖房モードとして先ず予備暖房モードを開始した後、人感センサ５４が人を検出すると、脱衣所５１に人が居なくなったと判断して、運転モードを入浴中暖房モードに切り換える。入浴中暖房モードでは、上述したように、例えば第１のＰＴＣヒータ３ａと第２のＰＴＣヒータ３ｂの一方の駆動に切り換えてヒータ部３における発熱量を抑えることで温度制御を行い、脱衣所５１内の必要以上の温度上昇を抑える。
【００８６】
なお、人の有無の判断は、浴室５３の照明の点灯の有無から判断しても良い。図２に示すように、浴室５３の照明５５は、照明スイッチ５６によって点灯の有無が切り換えられる。脱衣所空調機１の制御部３１は、図３に示すように、照明スイッチ５６の出力を監視し、照明５５を点灯させた状態となっているかを検出する。
【００８７】
制御部３１は、上述したように暖房モードとして先ず予備暖房モードを開始した後、照明スイッチ５６が浴室５３の照明５５を点灯させた状態となったことを検出すると、脱衣所５１に人が居なくなったと判断して、運転モードを上述した入浴中暖房モードに切り換える。
【００８８】
以上のように、予備暖房モードと入浴中暖房モードの切り換えを、タイマ設定や人の有無の検出等によって自動的に行うことで、人手によるモード切り換えは不要である。よって、予備暖房モードから確実に入浴中暖房モードに切り換えを行うことができ、脱衣所５１の必要以上の温度上昇を抑えることができる。
【００８９】
更に、入浴者が浴室５３から退室し、脱衣所５１に入ったことを、人感センサ５４や照明スイッチ５６等の人検出手段によって検出して、暖房モードを制御しても良い。例えば、浴室５３に備えた人感センサ５４で人がいなくなったことを検出したり、浴室５３の照明スイッチ５６がオンからオフ状態になることにより、浴室５３から脱衣所５１に入浴者が移動したと判断すると、暖房モードを停止することで、濡れた体に風が当たらないようにして、肌寒さを感じるのを防止できるようにしても良い。
【００９０】
また、カーボンランプヒータやハロゲンヒータ等の輻射ユニットを備えて、上述したように人検出手段で浴室５３から脱衣所５１に入浴者が移動したと判断すると、輻射暖房に切り換えるように制御するようにしても良い。
【００９１】
さて、図８に示す操作部３２で暖房モードボタン３５とイオンモード連動ボタン３８が押されると、制御部３１は、上述した暖房モードの制御に加えて、イオン発生器５を駆動して、例えば負イオンを発生させる。これにより、負イオンがファンケース８内に放出され、ファン部４による空気の流れによって、ルーバー６から負イオンを含む温風が吹き出される。
【００９２】
従って、暖房モードと負イオン発生モードを連動させることで、脱衣所５１内の温度が快適な温度に上がり、リラックス効果が得られる。なお、負イオン発生モードでは、負イオンのみを発生させても良いし、正イオンに対して負イオンを多く発生させても良い。
【００９３】
次に、涼風モードの動作について説明する。図８に示す操作部３２で涼風モードボタン３４が押されると、制御部３１は涼風モードが選択されたと判断して、ファンモータ４ａとルーバモータ１０ｄを駆動する。ファンモータ４ａが駆動されると、羽根車７が回転することで、フロントパネル１２の吸込口２１ｂを通して、ファン部４の吸込口８ａから室内の空気が吸い込まれ、ファンケース８によってルーバー６へと空気が流れる。
【００９４】
ルーバモータ１０ｄが駆動されると、図７に示す吹出口１０ｂが上下方向に往復回転動作する。これにより、ルーバー６から脱衣所５１全体に送風が吹き出される。
【００９５】
涼風モードでは、第１のＰＴＣヒータ３ａ及び第２のＰＴＣヒータ３ｂに通電を行わないことで、ファン部４から吹き出した空気は加温されず、室内の温度に応じた送風がルーバー６から吹き出される。従って、涼風モードでは夏場等に脱衣所空調機１を扇風機として使用できる。
【００９６】
図８に示す操作部３２で涼風モードボタン３４とイオンモード連動ボタン３８が押されると、制御部３１は、上述した涼風モードの制御に加えて、イオン発生器５を駆動して、例えば負イオンを発生させる。これにより、負イオンがファンケース８内に放出され、ファン部４による空気の流れによって、ルーバー６から負イオンを含む送風が吹き出される。
【００９７】
従って、涼風モードと負イオン発生モードを連動させることで、負イオンによるリラックス効果が得られる。なお、涼風モードと正負イオン発生モードを連動させても良い。
【００９８】
次に、イオン発生モードの動作について説明する。図８に示す操作部３２でイオンモード選択ボタン３６が押され、除菌イオンモードが選択されると、制御部３１はファンモータ４ａとルーバモータ１０ｄとイオン発生器５を駆動する。ファンモータ４ａが駆動されると、羽根車７が回転することで、フロントパネル１２の吸込口２１ｂを通して、ファン部４の吸込口８ａから室内の空気が吸い込まれ、ファンケース８によってルーバー６へと空気が流れる。なお、除菌イオンモードでは、第１のＰＴＣヒータ３ａ及び第２のＰＴＣヒータ３ｂに通電を行わない。
【００９９】
ルーバモータ１０ｄが駆動されると、図７に示す吹出口１０ｂが上下方向に往復回転動作する。また、イオン発生器５が駆動されると、ここでは略同数の正イオンと負イオンの双方がファンケース８内に放出される。図１０はイオン発生モード時の空気の流れを示す説明図で、除菌イオンモードでは、ファン部４による空気の流れによって、図１０（ａ）に示すように、ルーバー６から正イオンと負イオンの双方を含む送風が脱衣所５１全体に吹き出される。
【０１００】
従って、除菌イオンモードでは、部屋全体に正イオン及び負イオンの双方を含む空気が送風されるので、空気中の浮遊細菌を不活化して、カビの発生を抑えることができる。また、除菌イオンモードでは送風を吹き出すことで、室内の湿度が下がり、カビの防止により効果的である。
【０１０１】
なお、本例のルーバー６は左右の空気の吹き出し方向は手動で変更する構成であるが、左右方向の風向も電動で変更できる構成としても良い。そして、除菌イオンモードで上下左右に送風を行うことで、より広範囲に正イオン及び負イオンの双方を含む送風を行うことができる。
【０１０２】
図８に示す操作部３２でイオンモード選択ボタン３６が押され、マイナスイオンモードが選択されると、制御部３１はファンモータ４ａとイオン発生器５を駆動する。ファンモータ４ａが駆動されると、羽根車７が回転することで、フロントパネル１２の吸込口２１ｂを通して、ファン部４の吸込口８ａから室内の空気が吸い込まれ、ファンケース８によってルーバー６へと空気が流れる。
【０１０３】
なお、マイナスイオンモードでは、第１のＰＴＣヒータ３ａ及び第２のＰＴＣヒータ３ｂに通電を行わない。また、マイナスイオンモードでは、ルーバモータ１０ｄの駆動は行わず、風向を一定に保持する。
【０１０４】
イオン発生器５が駆動されると、ここでは負イオンがファンケース８内に放出される。これにより、マイナスイオン発生モードでは、ファン部４による空気の流れによって、図１０（ｂ）に示すように、ルーバー６から負イオンを含む送風が一定の向きで吹き出される。従って、マイナスイオンモードでは、夏場等は送風により体を冷やすと共に、負イオンによるリラックス効果が得られる。
【０１０５】
なお、他の運転モードとしては、例えばドライヤモードを備えても良い。ドライヤモードでは、制御部３１は、例えばマイナスイオンモードでファンモータ４ａの回転数を上げ、マイナスイオンモード時より風量を多くする。また、ルーバー６は、送風が人の頭に当たるような一定の向きで固定される。更に、送風か温風かを選択できるようにしても良い。これにより、負イオンを含む送風あるいは温風で、短時間で髪を乾かすことができる。
【０１０６】
また、予備暖房モードより短時間で脱衣所５１内を暖めるため、強暖房モードを備えても良い。強暖房モードでは、制御部３１は、ファンモータ４ａの回転数を増やして温風の風量を上げること等により、脱衣所５１内をより短時間で暖める。そして、温度検出あるいは時間によって、通常の暖房モードに戻す制御を行う。
【０１０７】
このように、運転モードとして図９に記載のものは一例であり、これに限られるものではない。例えば、入浴中暖房モードにおいてファン風量を落とすため、ファンモータ４ａの回転数を「強」と「標準」に「弱」を加えた３速としても良い。
【産業上の利用可能性】
【０１０８】
本発明は、脱衣所の壁面等に設置され、送風と温風を吹き出す脱衣所空調機に適用される。
【図面の簡単な説明】
【０１０９】
【図１】本実施の形態の脱衣所空調機の内部構成の一例を示す正面図である。
【図２】本実施の形態の脱衣所空調機の設置例を示す斜視図である。
【図３】本実施の形態の脱衣所空調機の制御系の一例を示す機能ブロック図である。
【図４】本実施の形態の脱衣所空調機の構成の一例を示す分解斜視図である。
【図５】本実施の形態の脱衣所空調機の構成の一例を示す外観斜視図である。
【図６】図１のＡ−Ａ線断面図である。
【図７】図１のＢ−Ｂ線断面図である。
【図８】操作部の一例を示す構成図である。
【図９】運転モードと各部の動作の組み合わせパターンの一例である。
【図１０】イオン発生モード時の空気の流れを示す説明図である、
【符号の説明】
【０１１０】
１・・・脱衣所空調機、２・・・空調ユニット、３・・・ヒータ部、３ａ・・・第１のＰＴＣヒータ、３ｂ・・・第２のＰＴＣヒータ、４・・・ファン部、４ａ・・・ファンモータ、５・・・イオン発生器、６・・・ルーバー、３１・・・制御部、３２・・・操作部、３３・・・表示部、３４・・・涼風モードボタン、３５・・・暖房モードボタン、３６・・・イオンモード選択ボタン、３７・・・ランプ、３８・・・イオンモード連動ボタン、３９・・・タイマボタン、４０・・・温度センサ、５１・・・脱衣所、５２・・・壁面、５３・・・浴室、５４・・・人感センサ、５５・・・照明、５６・・・照明スイッチ
【図１】
2006162231.tif 000003
【図２】
2006162231.tif 000004
【図３】
2006162231.tif 000005
【図４】
2006162231.tif 000006
【図５】
2006162231.tif 000007
【図６】
2006162231.tif 000008
【図７】
2006162231.tif 000009
【図８】
2006162231.tif 000010
【図９】
2006162231.tif 000011
【図１０】
2006162231.tif 000012